(57)【要約】【課題】定温輸送梱包装置において、小型、軽量、安価でしかも取り扱い性が良好であって、輸送対象物を所定温度に長時間にわたって確実に保温できるようにすること。【解決手段】定温輸送梱包装置１は、外気温より高い温度の輸送対象物８を密閉して収納する断熱包装容器２と、密閉された断熱包装容器２内に収納され輸送対象物８を外気温より高い所定温度に保温する保温シート４とを備えている。保温シート４は、可撓性を有する２枚のプラスチックフィルムを重ね合わせて接合すると共に流体を封入した多数の袋状部４ａを形成し、輸送対象物を保温する所定温度以下になると液体からゲル状固体に状態変化して発熱する温度調整材料５を前記流体として袋状部４ａ１の中に封入し、温度調整材料５を封入した袋状部４ａ１が輸送対象物８に伝熱的に接触した状態で輸送対象物８を全体的に包んでいる。【選択図】図１
2006089103.tif 000002
【特許請求の範囲】
【請求項１】
外気温より高い温度の輸送対象物を密閉して収納する断熱包装容器と、
密閉された前記断熱包装容器内に収納され前記輸送対象物を外気温より高い所定温度に保温する保温シートとを備えた定温輸送梱包装置において、
前記保温シートは、可撓性を有する２枚のプラスチックフィルムを重ね合わせて接合すると共に流体を封入した多数の袋状部を形成し、前記輸送対象物を保温する所定温度以下になると液体から固体に状態変化して発熱する材料を含む温度調整材料を前記流体として前記袋状部の中に封入し、前記温度調整材料を封入した袋状部が前記輸送対象物に伝熱的に接触した状態で前記輸送対象物を全体的に包んでいる
ことを特徴とする定温輸送梱包装置。
【請求項２】
請求項１に記載の定温輸送梱包装置において、前記温度調整材料はゲル状態における液体部分が固体部分に状態変化して発熱するものであることを特徴とする定温輸送梱包装置。
【請求項３】
請求項１に記載の定温輸送梱包装置において、前記保温シートは前記温度調整材料を封入した袋状部と空気を封入した袋状部とからなる２種類の袋状部を混在して形成したものであることを特徴とする定温輸送梱包装置。
【請求項４】
請求項３に記載の定温輸送梱包装置において、前記保温シートは前記空気を封入した袋状部が前記輸送対象物の側面及び上下面の全面にわたって位置するように前記輸送対象物を包んでいることを特徴とする定温輸送梱包装置。
【請求項５】
請求項１に記載の定温輸送梱包装置において、保温シートは、前記袋状部を細長い袋状部で形成し、これらの細長い袋状部を連接部を介して平行に並設し、前記温度調整材料を封入した細長い袋状部が前記輸送対象物の側面に上下に延びるように前記輸送対象物を包んでいることを特徴とする定温輸送梱包装置。
【請求項６】
請求項５に記載の定温輸送梱包装置において、保温シートは前記温度調整材料を封入した細長い袋状部が前記輸送対象物の側面から上下面に延びてそれぞれの面に熱的に接触するように前記輸送対象物を包んでいることを特徴とする定温輸送梱包装置。
【請求項７】
請求項６に記載の定温輸送梱包装置において、前記保温シートは前記温度調整材料を封入した細長い袋状部の間に空気を封入した細長い袋状部を有するものであることを特徴とする定温輸送梱包装置。
【請求項８】
請求項１から７の何れかに記載の定温輸送梱包装置において、前記断熱包装容器は、前記輸送対象物を収納すると共にこの輸送対象物を取出す開口を上面に有する容器本体と、前記容器本体の上面の開口を塞ぐ蓋体とから構成されており、前記保温シートで包まれた前記輸送対象物と前記蓋体との間の空間を埋めるように断熱部材を設置したことを特徴とする定温輸送梱包装置。
【請求項９】
輸送対象物を密閉して収納する断熱包装容器内に収納され、前記輸送対象物を外気温より高い所定温度に保温する保温シートにおいて、
可撓性を有する２枚のプラスチックフィルムを重ね合わせて接合すると共に流体を封入した多数の袋状部を形成し、前記輸送対象物を保温する所定温度以下になると液体から固体に状態変化して発熱する材料を含む温度調整材料を前記流体として前記袋状部の中に封入し、前記温度調整材料を封入した袋状部が前記輸送対象物に伝熱的に接触した状態で前記輸送対象物を全体的に包むように設置される
ことを特徴とする保温シート。
【請求項１０】
請求項９に記載の保温シートにおいて、前記温度調整材料はゲル状態における液体部分が固体部分に状態変化して発熱するものであることを特徴とする保温シート。
【発明の詳細な説明】
【技術分野】
【０００１】
本発明は、定温輸送梱包装置及び保温シートに係り、特に外気温より高い温度の輸送対象物を所定温度に保温する定温輸送梱包装置及び保温シートに好適なものである。
【背景技術】
【０００２】
治験薬や再生角膜などは一定の温度での管理が必要であるため、これらの輸送を行なう際には、外気温に関係なく所定温度に保持して輸送しなければならない。従来の定温輸送梱包装置としては、輸送容器に電気ヒータ、蓄電池、温度センサ及び制御回路を内蔵し、輸送容器内の温度を温度センサで検出して電気ヒータの発熱量を調整することにより治験薬や再生角膜などの輸送対象物を所定温度に保温するようにしている（従来技術１）。
【０００３】
また、従来の保温輸送梱包装置として、特開２００１−１４９２３３号公報（特許文献１）に開示された保温ケースがある（従来技術２）。この保温ケースは、弁当などの調理済食品を収納した食品ケースを長時間保温しながら保管および輸送をすることができるようにするためになされたものであり、輸送対象物である食品ケースを収納し且つ通気孔を有する本体ケースと、このケース本体内で食品ケースの上下に配設され空気の存在下で酸化発熱する発熱組成物を含む発熱体と、発熱体と本体ケースとの間または発熱体と食品ケースとの間に配設された通気性を有する介在部材とからなっている。
【０００４】
【特許文献１】特開２００１−１４９２３３号公報
【発明の開示】
【発明が解決しようとする課題】
【０００５】
しかし、従来技術１の輸送梱包装置では、次のような課題があった。輸送容器に電気的な加熱装置を備えるため、嵩張り、非常に重く、しかも高価なものとなっていた。また、輸送対象物の側面及び上面が電気ヒータに接触して伝熱的に加熱することができず、輸送容器内の空気を介して間接的に加熱するものであるため、輸送容器内に温度の高低差が生じて輸送対象物を一定温度に保持することが困難であった。更には、輸送中に発生する衝撃力から輸送対象物を保護することに十分な配慮がなされておらず、一つ一つ手持ちで輸送しているため、輸送時間がかかり、輸送コストが高くなり、大量輸送ができなかった。そこで、輸送容器内にクッション材を収納すると、電気ヒータによる輸送対象物の加熱を阻害することとなり、輸送対象物を所定温度に保持することがさらに困難となってしまうという問題が生ずる。
【０００６】
また、従来技術２の保温ケースでは、空気の存在下で酸化発熱する発熱組成物を利用するものであり、必要な発熱量を得るのに保温ケース外部と十分な通気性を持たせる必要があるため、保温ケース内の温度が外気温の影響を強く受けて、食品ケースを所定温度に保持することが困難であった。また、従来技術２の保温ケースでは、食品ケースのクッション性については十分に配慮されているとは言えなかった。
【０００７】
本発明の目的は、小型、軽量、安価でしかも取り扱い性が良好であって、輸送対象物を所定温度に長時間にわたって確実に保温できる定温輸送梱包装置及び保温シートを提供することにある。
【課題を解決するための手段】
【０００８】
前記目的を達成するために、本発明は、外気温より高い温度の輸送対象物を密閉して収納する断熱包装容器と、密閉された前記断熱包装容器内に収納され前記輸送対象物を外気温より高い所定温度に保温する保温シートとを備えた定温輸送梱包装置において、前記保温シートは、可撓性を有する２枚のプラスチックフィルムを重ね合わせて接合すると共に流体を封入した多数の袋状部を形成し、前記輸送対象物を保温する所定温度以下になると液体から固体に状態変化して発熱する材料を含む温度調整材料を前記流体として前記袋状部の中に封入し、前記温度調整材料を封入した袋状部が前記輸送対象物に伝熱的に接触した状態で前記輸送対象物を全体的に包んでいる構成にしたことにある。
【０００９】
係る本発明のより好ましい具体的な構成例は次の通りである。
（１）前記温度調整材料はゲル状態における液体部分が固体部分に状態変化して発熱するものであること。
（２）前記保温シートは前記温度調整材料を封入した袋状部と空気を封入した袋状部とからなる２種類の袋状部を混在して形成したものであること。
（３）前記保温シートは前記空気を封入した袋状部が前記輸送対象物の側面及び上下面の全面にわたって位置するように前記輸送対象物を包んでいること。
（４）保温シートは、前記袋状部を細長い袋状部で形成し、これらの細長い袋状部を連接部を介して平行に並設し、前記温度調整材料を封入した細長い袋状部が前記輸送対象物の側面に上下に延びるように前記輸送対象物を包んでいること。
（５）保温シートは前記温度調整材料を封入した細長い袋状部が前記輸送対象物の側面から上下面に延びてそれぞれの面に熱的に接触するように前記輸送対象物を包んでいること。
（６）前記保温シートは前記温度調整材料を封入した細長い袋状部の間に空気を封入した細長い袋状部を有するものであること。
（７）前記断熱包装容器は、前記輸送対象物を収納すると共にこの輸送対象物を取出す開口を上面に有する容器本体と、前記容器本体の上面の開口を塞ぐ蓋体とから構成されており、前記保温シートで包まれた前記輸送対象物と前記蓋体との間の空間を埋めるように断熱部材を設置したこと。
【００１０】
また、前記目的を達成するために、本発明は、輸送対象物を密閉して収納する断熱包装容器内に収納され、前記輸送対象物を外気温より高い所定温度に保温する保温シートにおいて、可撓性を有する２枚のプラスチックフィルムを重ね合わせて接合すると共に流体を封入した多数の袋状部を形成し、前記輸送対象物を保温する所定温度以下になると液体から固体に状態変化して発熱する材料を含む温度調整材料を前記流体として前記袋状部の中に封入し、前記温度調整材料を封入した袋状部が前記輸送対象物に伝熱的に接触した状態で前記輸送対象物を全体的に包むように設置される構成にしたことにある。
【００１１】
係る本発明のより好ましい具体的な構成例は次の通りである。
（１）前記温度調整材料はゲル状態における液体部分が固体部分に状態変化して発熱するものであること。
【発明の効果】
【００１２】
本発明によれば、小型、軽量、安価でしかも取り扱い性が良好であって、輸送対象物を所定温度に長時間にわたって確実に保温できる定温輸送梱包装置及び保温シートを得ることができる。
【発明を実施するための最良の形態】
【００１３】
以下、本発明の複数の実施例について図を用いて説明する。各実施例の図における同一符号は同一物または相当物を示す。本発明は、実施例に開示した形態に限られるものではなく、公知技術などに基づく変更を許容するものである。
【００１４】
まず、本発明の第１実施例の定温輸送梱包装置を図１から図９を用いて説明する。
【００１５】
本実施例の定温輸送梱包装置１は、図１〜図３に示すように、外気温より高い温度の輸送対象物８を密閉して収納する断熱包装容器２と、密閉された断熱包装容器２内に収納され輸送対象物８を外気温より高い所定温度に保温する保温シート４と、断熱包装容器２内に設置された断熱部材３とを備えて構成されている。本発明における外気温とは、断熱包装容器２の外側の温度であり、断熱包装容器２をさらに別の容器で包んだ場合には、その別の容器と断熱包装容器２との間の温度となる。
【００１６】
輸送対象物８は円筒状の保存ケース内に治験薬や再生角膜などが収納されて構成されたものである。治験薬や再生角膜などは、所定温度に保温された状態で輸送されることが必要である。例えば、再生角膜は人間の体温に近い温度（３７℃前後）に保温されて輸送されることが必要であり、外気温が例えば５℃の場合には、温度差３２℃という大きな温度差において再生角膜を３７℃に保温する必要がある。
【００１７】
断熱包装容器２は、外気温より高い温度の輸送対象物８を密閉して収納する包装容器であり、容器本体２ａと蓋体２ｂとから構成されている。容器本体２ａ及び蓋体２ｂは発泡スチロールなどの断熱性能の良好な断熱材で構成されている。容器本体２ａは円筒状で縦長に形成され、上面が開口されている。蓋体２ｂは、円盤状に形成され、容器本体２ａの上面開口を密閉するように取り付けられ、容器本体２ａから取外し可能になっている。
【００１８】
保温シート４は、可撓性を有する２枚のプラスチックフィルムを重ね合わせて接合すると共に、図４〜図６に示すように、流体を封入した多数の袋状部４ａをシート全体にわたって形成して構成されている。図４〜図６には保温シート４の長手方向の一部を示してあり、保温シート４は輸送対象物８の全周を巻設するだけの長さを有している。また、保温シート４の前後方向の寸法が輸送対象物８の高さ寸法より大きく設定され、保温シート４で輸送対象物８の上下面を包めるようになっている。
【００１９】
袋状部４ａは、温度調整材料５を封入した袋状部４ａ１と、空気を封入した袋状部４ａ２、４ａ３とからなる２種類の袋状部が混在して形成された四角形のシートで構成されている。これによって、温度調整材料５を封入した袋状部４ａ１による加熱能力の確保と、空気を封入した袋状部４ａ２、４ａ３によるクッション性とを両立させることができる。再生角膜などシート状の細胞膜では、外部から受ける衝撃で剥離、破れ、ねじれ等のストレスを受けてしまうため、直接、衝撃力を受けないような工夫が求められており、その為、細胞等を入れた容器８をクッション性があるシート４で包むことが極めて重要である。温度調整材料５は、輸送対象物８を保温する所定温度（例えば、再生角膜の場合などは、人間の体温に近い３７℃付近）以下になると、液体から固体に状態変化して発熱する材料を含んで構成されている。この温度調整材料５は、ゲル状態における液体部分が固体部分に状態変化して発熱するものである。発熱用に使う素材において、一般的な潜熱を利用するものは、液体から固体へ変化するため、発熱が終了した素材は、固体にかたまってしまい、衝撃力を緩和する機能を喪失してしまうが、本実施例では、ゲル状態における液体部分が固体部分に状態変化して発熱するものであるため、発熱が終了した素材も衝撃力を緩和する機能を奏する。温度調整材料５を封入した袋状部４ａ１については、断面部分でなくてもハッチングして図示し、空気を封入した袋状部４ａ２、４ａ３との差異を分かり易くしてある。また、袋状部４ａは大きさの異なる袋状部で形成され、具体的には長さの異なる細長い袋状部で形成されている。長い方の袋状部４ａ１、４ａ２は中央部に位置して長手方向に並置され、短い方の袋状部４ａ３はその前後両側に位置して長手方向に並置されている。なお、温度調整材料５を輸送開始時に所定温度以上に暖めておいて用いられる。
【００２０】
長い方の袋状部４ａ１、４ａ２は連接部４ｂを介して平行に並設され、等間隔に配列されている。空気を封入した袋状部４ａ２と温度調整材料５を封入した袋状部４ａ１とは、規則的に配列されており、袋状部４ａ２及び袋状部４ａ１のそれぞれが輸送対象物８の側面全周に規則的に配列される。これによって、輸送対象物８の全周から均等に加熱することができると共に、輸送対象物８の全体にクッション性を持たせることができる。これによって、輸送対象物８に全体に加わる落下時などの衝撃を緩和することができる。本実施例では、複数の袋状部４ａ１に対して１つの袋状部４ａ２が存在する配列となっている。また、袋状部４ａ１、４ａ２の長さは、輸送対象物８の高さとほぼ同じに設定され、伝熱性能及びクッション性の向上を図っている。
【００２１】
短い方の袋状部４ａ３は、連接部４ｃを介して平行に並設されると共に、長い方の袋状部４ａ１、４ａ２に対して連接部４ｄを介して併設されている。
【００２２】
保温シート４は、図１、図２、図７及び図８に示すように、温度調整材料５を封入した袋状部４ａ１が輸送対象物８に伝熱的に接触した状態で輸送対象物８を全体的に包むように設置される。また、保温シート４は空気を封入した袋状部４ａ２、４ａ３が輸送対象物８の側面及び上下面の全面にわたって位置するように輸送対象物８を包んでいる。さらには、保温シート４は、温度調整材料５を封入した細長い袋状部４ａ１が輸送対象物８の側面に上下に延びると共に側面全周にわたって位置するように輸送対象物８を包んでいる。ここで、側面の袋状部４ａ１、４ａ２と上面または下面の袋状部４ａ３との間に連接部４ｄを有しているので、連接部４ｄを折り曲げることにより保温シート４を輸送対象物８に容易に巻きつけることができる。輸送対象物８の上面及び下面の中心部に位置する保温シート４をテープなどで止めることにより、保温シート４を輸送対象物８に包んだ状態に維持できる。保温シート４で包まれた輸送対象物８は、図１、図２及び図９に示すように、断熱包装容器２内に収納される。
【００２３】
断熱部材３は、図１、図２及び図９に示すように、保温シート４で包まれた輸送対象物８と蓋体２ａとの間の空間を埋めるように設置される。保温シート４で包まれた輸送対象物８の上方空間は保温調整材料５の発熱により加熱された容器内空気が対流により上昇する所であるので、ここに断熱部材３を設置することにより、保温シート４による輸送対象物８の加熱を効果的なものとすることができる。また、蓋体２ｂと容器本体２ａとの間から熱が漏洩し易いが、断熱部材３を設置することによりこの熱漏洩を低減することができる。
【００２４】
本実施例によれば、上述したように、外気温より高い温度の輸送対象物８を密閉して収納する断熱包装容器２と、密閉された断熱包装容器２内に収納され輸送対象物８を外気温より高い所定温度に保温する保温シート４とを備えた定温輸送梱包装置１において、保温シート４は、可撓性を有する２枚のプラスチックフィルムを重ね合わせて接合すると共に流体を封入した多数の袋状部４ａを形成し、輸送対象物を保温する所定温度以下になると液体からゲル状固体に状態変化して発熱する温度調整材料５を前記流体として袋状部４ａ１の中に封入し、温度調整材料５を封入した袋状部４ａ１が輸送対象物８に伝熱的に接触した状態で輸送対象物８を全体的に包んでいるので、小型、軽量、安価でしかも取り扱い性を向上しつつ、輸送対象物を所定温度に長時間にわたって確実に保温できる。
【００２５】
すなわち、外気温より高い温度の輸送対象物８を断熱包装容器２により密閉して収納しているので、従来技術２のように通気性を有する保温ケースを用いるものと比較して、外気温の影響を低減できる。また、密閉された断熱包装容器２内に収納され輸送対象物８を保温シート４により外気温より高い所定温度に保温するので、輸送対象物８に適した温度で輸送することができる。さらには、保温シート４は、可撓性を有する２枚のプラスチックフィルムを重ね合わせて接合すると共に流体を封入した多数の袋状部４ａを形成したものであるので、小型、軽量、安価であり、しかも、輸送対象物８を容易に包むことができて取り扱い性が良好である。さらには、輸送対象物８を保温する所定温度以下になると液体から固体に状態変化して発熱する材料を含む温度調整材料５を流体として袋状部４ａ１の中に封入し、温度調整材料５を封入した袋状部４ａ１が輸送対象物８に伝熱的に接触した状態で輸送対象物８を全体的に包んでいるので、輸送対象物を所定温度に長時間にわたって確実に保温できる。
【００２６】
次に、本発明の第２実施例について図１０及び図１１を用いて説明する。第２実施例は、次に述べる通り第１実施例と相違するものであり、その他の点については第１実施例と基本的には同一である。
【００２７】
第２実施例では、保温シート４において、長い方の袋状部４ａ１、４ａ２のみとすると共に、この袋状部４ａ１、４ａ２をさらに長くしたものである。長い方の袋状部４ａ１、４ａ２は、輸送対象物８を包んだ状態において、輸送対象物８の上面及び下面まで延びている。
【００２８】
この第２実施例よれば、１つの種類の袋状部４ａ１、４ａ２としたことにより、保温シート４の製作が容易になり、さらに安価なものとすることができる。また、袋状部４ａ１により輸送対象物８の側面、上面及び下面の全面を直接加熱することができるので、保温性能をさらに向上することができる。
【図面の簡単な説明】
【００２９】
【図１】本発明の第１実施例の定温輸送梱包装置を示す縦断面図である。
【図２】図１のＡ−Ａ断面図である。
【図３】図１のＢ−Ｂ断面図である。
【図４】図１における保温シートの平面図である。
【図５】図４のＣ−Ｃ断面図である。
【図６】図４の保温シートの袋状部を模式的に示す斜視図である。
【図７】第１実施例における輸送対象物を保温シートで包んだ状態の袋状部を模式的に示す斜視図である。
【図８】図７のＤ−Ｄ断面模式図である。
【図９】図１の定温輸送梱包装置の組立斜視図である。
【図１０】本発明の第２実施例の定温輸送梱包装置を示す縦断面図である。
【図１１】図１０における保温シートの平面図である。
【図１２】図１１の保温シートの袋状部を模式的に示す斜視図である。
【符号の説明】
【００３０】
１…定温輸送梱包装置、２…断熱包装容器、２ａ…容器本体、２ｂ…蓋体、３…断熱部材、４…保温シート、４ａ…袋状部、４ａ１…温度調整材料を封入した袋状部、４ｂ２、４ｂ３…空気を封入した袋状部、５…温度調整材料、８…輸送対象物。
【図１】
2006089103.tif 000003
【図２】
2006089103.tif 000004
【図３】
2006089103.tif 000005
【図４】
2006089103.tif 000006
【図５】
2006089103.tif 000007
【図６】
2006089103.tif 000008
【図７】
2006089103.tif 000009
【図８】
2006089103.tif 000010
【図９】
2006089103.tif 000011
【図１０】
2006089103.tif 000012
【図１１】
2006089103.tif 000013
【図１２】
2006089103.tif 000014